(57)【要約】【課題】  クレジットを不正にカウントアップするという不正行為を検出し、パチンコホールの損害を未然に防止する。【解決手段】  通過センサ２の信号出力ラインに電流センサ３を備え、電流センサ３にて通過セン２サのパルス信号を検出する。そして、電流センサ３の出力信号を信号処理することで得られるパルス信号をクレジット監視基板４に入力し、クレジット監視基板４に備えられたＰＩＣ１４にて、パルス信号のパルス幅が所定の設定時間を超えているか否かを判定する。正常なコインの投入によるパルス信号のパルス幅は所定の設定時間を超えず、不正行為によるパルス信号のパルス幅はつながってしまい所定の設定時間を超える。これにより、不正行為を検出することが可能となる。【選択図】        図１
2005312929.tif 000002
【特許請求の範囲】
【請求項１】
コイン投入口（１ａ）からコインが投入された枚数に応じて遊技を行えるスロット遊技台（１）と、
前記スロット遊技台に備えられ、前記コインの通過に合わせて信号ラインを通じてパルス信号を出力する通過センサ（２）と、
前記通過センサの信号ラインに接続され、該信号ラインに流れる前記通過センサの出力電流を感知してアナログ信号を出力する電流センサ（３）と、
前記アナログ信号を所定の参照値と大小比較することでデジタル信号に変換する変換手段（１２）と、
所定の設定時間をしきい値として設定し、前記電流センサが出力するアナログ信号を前記変換手段にて変換したデジタル信号のパルス幅が前記しきい値を超えているか否か判定することにより、前記通過センサの出力のパルス信号の異常波形を判定する判定手段（１１０）と、
前記判定手段によって前記デジタル信号のパルス幅が前記しきい値を超えていると判定された場合に、警報を行うための警報指令信号を出力する警報指令手段（１５０）と、
前記警報指令手段からの警報指令信号を受けて、警報を行う警報手段（５）と、を備えていることを特徴とするクレジット監視システム。
【請求項２】
前記判定手段は、前記スロット遊技台からコインの投入枚数を示すＩＮ信号を得るようになっており、前記デジタル信号のパルス幅が前記しきい値を超えていたときに、前記ＩＮ信号が入っていなければ、前記警報指令手段に前記警報指令信号を出力させるようになっていることを特徴とする請求項１に記載のクレジット監視システム。
【請求項３】
前記判定手段は、前記ＩＮ信号が入っていたときには、前記しきい値を前記所定の設定時間よりも長い設定時間に変更し、前記デジタル信号のパルス幅がこの変更されたしきい値を超えている場合に、前記警報指令手段に前記警報指令信号を出力させるようになっていることを特徴とする請求項２に記載のクレジット監視システム。
【請求項４】
前記判定手段は、前記スロット遊技台からコインの投入枚数を示すＩＮ信号を得るようになっており、このＩＮ信号から、コインが最後に投入された後、所定時間が空く前に、前記電流センサが出力するアナログ信号を前記変換手段にて変換したデジタル信号が次のパルスを示したか否かを判定するようになっており、前記デジタル信号のパルス幅が前記しきい値を超えていたときに、前記所定時間が空く前に前記デジタル信号が次のパルスを示した場合には、前記警報指令手段に前記警報指令信号を出力させるようになっていることを特徴とする請求項１ないし３のいずれか１つに記載のクレジット監視システム。
【請求項５】
前記判定手段は、前記所定時間が空く前に前記デジタル信号が次のパルスを示した場合には、前記しきい値を前記所定の設定時間よりも長い設定時間に変更し、前記デジタル信号のパルス幅がこの変更されたしきい値を超えている場合には、前記警報指令手段に前記警報指令信号を出力させるようになっていることを特徴とする請求項４に記載のクレジット監視システム。
【請求項６】
コイン投入口（１ａ）からコインが投入されたときに、そのコインの通過に合わせて信号ラインを通じてパルス信号を出力する通過センサ（２）からの出力に応じてコインの投入枚数の計測を行うスロット遊技台（１）の前記信号ラインに接続され、前記信号ラインに流れる前記通過センサの出力電流に応じたアナログ信号を出力する電流センサ（３）と、
前記アナログ信号を所定の参照値と大小比較することでデジタル信号に変換する変換手段（１２）と、
所定の設定時間をしきい値として設定し、前記電流センサが出力するアナログ信号を前記変換手段にて変換したデジタル信号のパルス幅が前記しきい値を超えているか否か判定することにより、前記通過センサの出力のパルス信号の異常波形を判定する判定手段（１１０）と、
前記判定手段によって前記デジタル信号のパルス幅が前記しきい値を超えていると判定された場合には、警報を行うための警報指令信号を出力する警報指令手段（１５０）とを備えていることを特徴とするクレジット監視装置。
【発明の詳細な説明】
【技術分野】
【０００１】
本発明は、パチンコホール内に設置されたスロット遊技台のクレジット（コイン投入枚数）を不正な機器を使用してカウントアップさせるという不正行為を検出することができるクレジット監視システムおよびそれに用いられるクレジット監視装置に関するものである。
【背景技術】
【０００２】
従来、スロット遊技台では、コイン投入口の近傍にコインの通過を検出する通過センサを設置しておき、コイン投入口から投入されたコインが通過するたびに通過センサから出力される検出信号をカウントすることで、クレジットのカウントアップを行うようになっている。具体的には、通過センサは、発光部から赤外線を照射し、その赤外線の反射光が受光部で受光されたときにカウントアップを行う。すなわち、コイン通過時には、発光部から照射された赤外線がコイン表面で反射することから、その反射光を受光部にて受光することで、コインが通過したことを検出するようになっている。
【０００３】
このようなスロット遊技台等において、不正を検出する装置が特許文献１および２で提案されている。
【０００４】
特許文献１および２に記載された装置では、２個の通過センサを用い、２つの通過センサからの出力に基づいて不正行為の監視を行っている。具体的には、２つの通過センサを遊技台におけるコインの通過経路中に直接取り付け、２つの通過センサの近接させるようにしている。そして、２つの通過センサそれぞれを通過するコインの順序が正しいか否か、さらに、２つの通過センサを通過するコインの通過時間の間隔が適正であるか否かを求め、コインの順序が正しく、かつ、コインの通過時間の間隔が適正であった場合には不正行為が無かったものと判定し、そうでなかった場合には不正行為があったものと判定するようになっている。
【特許文献１】特開２０００−３２５５４９号公報
【特許文献２】特開平１０−２３００６８号公報
【発明の開示】
【発明が解決しようとする課題】
【０００５】
近年、スロット遊技台のクレジットを不正な機器を使用してカウントアップさせる不正行為が流行している。この不正な機器は、手の平サイズのもので、先端部がコイン投入口内に挿入できる形状になっており、その先端部に赤外線発光部が付けられていて、赤外線発光部で発光された赤外線が通過センサの受光部に照射される事により、クレジットをカウントアップさせるようになっている。この不正な機器は、例えば１秒間に２５〜３０回程度、赤外線の照射を行うようになっており、２秒間程度の使用によりクレジットを５０まで上げられるようになっている。このため、僅かな時間でもクレジットのカウントアップを行うことが可能で、パチンコホールに対する損害が大きい。また、このような不正行為によって、クレジットのＩＮ枚数（コインの投入枚数）、ＯＵＴ枚数（コインの払出し枚数）についての正確なデータが取れなくなり、スロットの設定などに影響し、その影響によってパチンコホールが損害を被る可能性もある。
【０００６】
なお、スロット遊技台におけるクレジットのカウント方式としては、赤外線の発光部からの光をコの字形状の反射部材によって受光部に導き、コイン通過時に赤外線が遮断されることを利用してクレジットのカウントアップを行うものもあるが、このような形態についても、不正な機器の先端部で赤外線を遮っておき、上記のような赤外線照射を繰り返すことで、同様の不正行為を行うことが可能となる。このため、上記と同様の問題を発生させる。
【０００７】
このような不正行為に対して、上述した特許文献１および２に記載された装置を用いることで対策を採ることも考えられるが、これらの装置では、不正な機器にて２つの通過センサの双方に繰り返し赤外線が照射されれば、２つの通過センサ双方でコインの通過が検出されることになるため、通常通りクレジットのカウントアップが為されることになり、不正行為が行われたことを検出することができない。
【０００８】
本発明は上記点に鑑みて、クレジットを不正にカウントアップするという不正行為を検出し、パチンコホールの損害を未然に防止できるクレジット監視システムおよびそれに用いられるクレジット監視装置を提供することを目的とする。
【課題を解決するための手段】
【０００９】
上記目的を達成するため、請求項１に記載の発明では、通過センサの信号ラインに接続され、該信号ラインに流れる通過センサの出力電流を感知してアナログ信号を出力する電流センサ（３）と、アナログ信号を所定の参照値と大小比較することでデジタル信号に変換する変換手段（１２）と、所定の設定時間をしきい値として設定し、電流センサが出力するアナログ信号を前記変換手段にて変換したデジタル信号のパルス幅がしきい値を超えているか否か判定することにより、通過センサの出力のパルス信号の異常波形を判定する判定手段（１１０）と、判定手段によってデジタル信号のパルス幅がしきい値を超えていると判定された場合に、警報を行うための警報指令信号を出力する警報指令手段（１５０）とを備えていることを特徴としている。
【００１０】
このように、通過センサからパルス信号が出力されたことを信号ラインに流れる電流を電流センサで感知することで検出する。この電流センサが出力するアナログ信号をデジタル変換したときのデジタル信号のパルス幅がしきい値を超えているか否かを判定することで、パルス幅が通常のコイン投入によるものか不正行為によるものかを検出することができる。したがって、不正行為を検出したときに、それを警報手段によって警報することで、パチンコホールの店員が不正行為を発見することができ、不正行為を取り押さえることが可能となって、パチンコホールの損害を未然に防止することが可能となる。
【００１１】
ところで、コイン投入口の近傍にソレノイドが備えられ、そのソレノイドが駆動されたときの信号を電流センサが拾ってしまう場合がある。このような場合には、パルス幅がしきい値を超えただけで不正行為が行われていると判定してしまうのは好ましくない。
【００１２】
そこで、請求項２に記載の発明では、判定手段は、スロット遊技台からコインの投入枚数を示すＩＮ信号を得るようになっており、パルス幅がしきい値を超えていたときに、ＩＮ信号が入っていなければ、警報指令手段に警報指令信号を出力させるようにしている。また、請求項４に記載の発明では、判定手段は、スロット遊技台からコインの投入枚数を示すＩＮ信号を得るようになっており、このＩＮ信号から、コインが最後に投入された後、所定時間が空く前に、電流センサが出力するアナログ信号を変換手段にて変換したデジタル信号が次のパルスを示したか否かを判定し、パルス幅がしきい値を超えていたときに、所定時間が空く前にパルス信号が出力された場合には、警報指令手段に警報指令信号を出力させるようにしている。
【００１３】
これらのように、ソレノイドが作動するような条件でないときにパルス幅がしきい値を超えると、警報を行うようにしても良い。
【００１４】
また、請求項３に記載の発明では、判定手段は、ＩＮ信号が入っていたときには、しきい値を所定の設定時間よりも長い設定時間に変更し、パルス幅がこの変更されたしきい値を超えている場合に、警報指令手段に警報指令信号を出力させるようにしている。さらに、請求項５に記載の発明では、判定手段は、所定時間が空く前にパルス信号が出力された場合には、しきい値を所定の設定時間よりも長い設定時間に変更し、パルス幅がこの変更されたしきい値を超えている場合には、警報指令手段に警報指令信号を出力させるようにしている。
【００１５】
このように、ソレノイドが作動するような条件のときには、しきい値を所定の設定時間よりも長い設定時間に変更し、パルス幅がこの変更されたしきい値を超えている場合に、警報を行うようにしても良い。
【００１６】
請求項６に記載の発明は、請求項１ないし５に示されるクレジット監視システムに用いられるクレジット監視装置に関するものである。このようなクレジット監視装置を各スロット遊技台に取り付けることでクレジット監視システムを構成し、上記効果を得ることが可能となる。
【００１７】
なお、上記各手段の括弧内の符号は、後述する実施形態に記載の具体的手段との対応関係を示すものである。
【発明を実施するための最良の形態】
【００１８】
以下、本発明の実施形態について図に基づいて説明する。なお、以下の各実施形態相互において、互いに同一もしくは均等である部分には、図中、同一符号を付してある。
【００１９】
（第１実施形態）
本発明の一実施形態を適用したクレジット監視システムの概略構成を図１に示す。以下、この図を参照してクレジット監視システムの構成について説明する。
【００２０】
クレジット監視システムは、パチンコホール内に設置される各スロット遊技台１と、各スロット遊技台１のコイン投入口１ａの近傍に取り付けられた通過センサ２および電流センサ３と、クレジット監視基板４、ナンバーランプ５、および、ホールコンピュータ６を有した構成となっている。これらのうち、電流センサ３およびクレジット監視基板４が本発明でいうクレジット監視装置に相当するものである。
【００２１】
スロット遊技台１には、例えばスロット遊技台１ごとに取り付けられた各台基板（集中管理基板）が備えられ、この各台基板の出力端子となる６Ｐ情報出力１ｂから、各スロット遊技台１のＩＮ枚数およびＯＵＴ枚数に関する情報、さらには大当り情報、小当たり情報、チャレンジタイム（ＣＴ）情報などを示す各種信号や、コモン信号を出力するようになっている。
【００２２】
通過センサ２は、クレジットのカウントを行うためのものであり、各スロット遊技台１に備えられたコイン投入口からコインが投入されると、コインが通過するたびに信号ライン２ａを通じてコインの通過を示すパルス信号（検出信号）を各台基板に出力するようになっている。各台基板は、このパルス信号のパルス数を検出することにより、ＩＮ枚数の情報を得るようになっている。例えば、通過センサ２は、発光部から赤外線を照射し、その赤外線の反射光が受光部で受光されたときにパルス信号が出力され、各台基板側でカウントアップが成されるようになっている。すなわち、コイン通過時には、発光部から照射された赤外線がコイン表面で反射することから、その反射光を受光部にて受光することで、コインが通過したことを検出するようになっている。
【００２３】
電流センサ３は、通過センサ２の信号ライン２ａ、すなわち検出信号を出力するラインに接続され、通過センサ２の検出信号を取り込み、クレジット監視基板４に向けて出力するものである。この電流センサ３により、通過センサ２の出力するパルス信号の様子を検出することが可能となっている。この電流センサ３としては、一般的に良く知られている様々なものを適用することができ、例えば、通過センサ２の信号ライン２ａに電流が流れると、それによる磁気変動に基づいて通過センサ２の信号ラインに電流が流れたことを感知するホール素子型の電流センサ等を用いることができる。この電流センサ３の出力波形は、基本的に通過センサ２の信号ライン２ａに流れる電流波形に応じたものとなるが、応答性の関係から、通過センサ２の信号ライン２ａに流れる電流波形に緩やかに追従するような波形となる。
【００２４】
クレジット監視基板４は、電流センサ３からの出力信号とスロット遊技台１の６Ｐ情報出力１ｂから得られる信号に基づいて、クレジットの監視を行うことで不正行為を検出し、不正行為が検出されたときにナンバーランプ５を用いて警報を行うものである。このクレジット監視基板４は、スロット遊技台１における６Ｐ情報出力１ｂに接続されることから、スロット遊技台１の６Ｐ情報出力１ｂから得た情報をホールコンピュータ６側に伝達する役割も果たすようになっている。
【００２５】
このクレジット監視基板４の各端子は、電流センサ３からのセンサ信号入力端子４ａ、警報出力端子４ｂ、リセット入力端子４ｃ、６Ｐ情報入力端子４ｄ、６Ｐ情報出力端子４ｅ、電源入力端子４ｆおよびＤＩＰ入力端子４ｇを有して構成されており、それぞれがクレジット監視基板４に備えられる電気回路の各部に接続された状態となっている。
【００２６】
図２に、クレジット監視基板４に備えられる電気回路の回路構成を示す。
【００２７】
クレジット監視基板４には、ローパスフィルタ回路１０、増幅回路１１、コンパレータ回路１２、レンジ変換回路１３、ＰＩＣ（マイクロコンピュータ）１４、レギュレータ回路１５などが備えられている。
【００２８】
ローパスフィルタ回路１０は、センサ信号入力端子４ａから入力される電流センサ３からの検出信号の高周波成分をカットし、低周波成分を取り出しアナログ信号を復調するものである。例えば、ローパスフィルタ回路１０は、抵抗１０ａおよびコンデンサ１０ｂを有して構成され、抵抗１０ａが例えば１０ｋΩ、コンデンサ１０ｂが０．０５６μＦと設定されることで、時定数ω（＝ＲＣ）＝０．５６ｍｓ、すなわち周波数が１．７９ｋＨｚ程度に設定されて、１．７９ｋＨｚより高周波数の信号を除去できるようになっている。このローパスフィルタ回路１０により、アナログ値である電流センサ３の検出信号を安定させることができ、ノイズ成分などを除去した適切なパルス信号波形を抽出することが可能となる。
【００２９】
増幅回路１１は、非反転増幅器で構成され、ローパスフィルタ回路１０から送られる信号を所定の倍率で増幅するためのものである。具体的には、増幅回路１１は、直列接続された固定抵抗１１ａおよび半固定抵抗１１ｂと、抵抗１１ｃと、オペアンプ１１ｄとを含んで構成されている。そして、固定抵抗１１ａおよび半固定抵抗１１ｂによる合成抵抗の抵抗値をＲ１、抵抗１１ｃの抵抗値をＲ２とすると、増幅率が（Ｒ１＋Ｒ２）／Ｒ１として表されることから、各抵抗１１ａ〜１１ｃの抵抗値の設定次第で増幅率を調整することができる。本実施形態では、最小９００倍〜最大１００００倍まで調整できるようになっている。
【００３０】
コンパレータ回路１２は、増幅回路１１で増幅後の検出信号を所定の参照電圧Ｖｒｅｆと大小比較してアナログ信号に変換するためのものであり、増幅後のパルス信号の方が参照電圧Ｖｒｅｆよりも高い場合にはハイレベル出力（ここでは約５Ｖ）、低い場合にはローレベル出力（ここでは約０Ｖ）が出力されるようになっている。ここでは後述するようにレギュレータ回路１５によって形成される所定電圧を固定抵抗１２ａ、１２ｂと半固定抵抗１２ｃによって分圧することにより、参照電圧Ｖｒｅｆが設定されるようになっている。そして、コンパレータ１２ｄにおける＋側に増幅後の検出信号、−側に参照電圧が入力されるようになっている。
【００３１】
レンジ変換回路１３は、フォトカプラ１３ａを通してコンパレータ回路１２でデジタル変換された検出信号を０Ｖ〜５Ｖレンジに変換するためのものである。具体的には、コンパレータ回路１２にフォトカプラ１３ａの１番ＰＩＮ（つまり発光側の＋端子）を接続し、２番ＰＩＮ（つまり発光側の−端子）をＧＮＤに接続してある。そして、フォトカプラ１３ａの３番ＰＩＮ（つまり受光側の出力端子）がＰＩＣ１４に接続され、４番ＰＩＮ（つまり受光側の入力端子）が５Ｖ電源（Ｖｃｃ）に接続されている。これにより、４番ＰＩＮから、コンパレータ回路１２の出力がハイレベル（５Ｖ前後）であれば５Ｖを、ローレベル（０Ｖ前後）であれば０Ｖを出力するように、レンジを０Ｖ〜５Ｖに変換することが可能となる。このようなレンジ変換を行うことにより、電流センサ３の検出信号が正確な矩形波形となるパルス信号として表されることになる。
【００３２】
このように、電流センサ３の検出信号は、ローパスフィルタ回路１０〜レンジ変換回路１３によって信号処理され、ＰＩＣ１４に出力されるようになっている。
【００３３】
ＰＩＣ１４は、ＣＰＵ、ＲＯＭ、ＲＡＭ、Ｉ／Ｏなどを備えた周知のマイクロコンピュータによって構成されるもので、不正行為の検出を行うものである。このＰＩＣ１４には、上述した信号処理後の電流センサ３の検出信号に加え、６Ｐ情報入力端子４ｄを通じてスロット遊技台１の６Ｐ情報出力１ｂから得られるＩＮ枚数を示す信号（以下、ＩＮ信号という）およびＯＵＴ枚数を示す信号（以下、ＯＵＴ信号という）が入力されると共に、リセット入力端子４ｃを介して入力されるリセットスイッチ７のオンオフ状態を示す信号、および、ＤＩＰ入力端子４ｇを介して入力されるＤＩＰＳＷ８からの各種設定信号が入力されるようになっている。
【００３４】
具体的には、６Ｐ情報入力端子４ｄの６本の端子のうち、１番ＰＩＮおよび２番ＰＩＮに入力されるＩＮ信号およびＯＵＴ信号は、共に、フォトカプラ１６ａおよび１６ｂを通じて、ＰＩＣ１４の７番ＰＩＮおよび８番ＰＩＮに入力されるようになっている。
【００３５】
なお、６Ｐ情報入力端子４ｄの６本の端子のうち残る４本の端子に関しては、不正行為の検出のためには用いられていないため、そのまま６Ｐ情報出力端子４ｅ側に接続された状態とされている。そして、この６Ｐ情報出力端子４ｅから出力される各種情報がホールコンピュータ６に入力されるようになっており、ホールコンピュータ６にて各スロット遊技台１のＩＮ枚数やＯＵＴ枚数に関する情報、大当り情報、小当り情報等に基づいて、各スロット遊技台１の管理が行えるようになっている。
【００３６】
ＤＩＰ入力端子４ｇは、１〜３番ＳＷを備えて構成されるＤＩＰＳＷ８の各ＳＷのオンオフ状態に応じたデータをＰＩＣ１４に入力する。例えば、ＤＩＰＳＷ８の１番ＳＷでは、外部出力モードの切り替えが行われ、オンのときにはワンショット出力、オフのときには保持出力とされる。この１番ＳＷのオンオフに応じた出力によって、後述するＰＩＣ１４の１７番ＰＩＮからの警報指令信号の長さが設定されるようになっており、ワンショット出力のときには警報指令信号が１秒間出力され、保持出力のときにはリセットスイッチ７が押されるまで警報指令信号が出力されるように設定される。
【００３７】
ＤＩＰＳＷ８の２番ＳＷでは、異常認識時間の設定、つまり異常と判別する検知時間の切り替えが行われ、オンのときには７０ｍｓ以上、オフのときには１００ｍｓ以上という時間が設定される。
【００３８】
ＤＩＰＳＷ８の３番ＳＷでは、タイミング検知モードの使用・不使用の設定が行われ、オンのときにはタイミング検知を使用するモード、オフのときには不使用のモードが設定される。
【００３９】
具体的には、ＤＩＰ入力端子４ｇの１〜３番ＰＩＮがＧＮＤに接続され、４〜６番ＰＩＮがＰＩＣ１４の９〜１１番ＰＩＮに接続された状態となっている。そして、ＰＩＣ１４側の各ＰＩＮは内部プルアップされていることから、ＤＩＰＳＷ８がオンされてＰＩＣ１４側の各ＰＩＮがＧＮＤに接続された状態になるとローレベル（０Ｖ）、ＤＩＰＳＷ８がオフとなってＰＩＣ１４側の各ＰＩＮがＧＮＤから切り離されるとハイレベル（５Ｖ）となるような構成となっている。
【００４０】
また、リセット入力端子４ｃは、ＰＩＣ１４の４番ＰＩＮに入力され、リセットスイッチ７が押されたときにリセット信号をＰＩＣ１４に入力するようになっている。そして、リセットスイッチ７が押され、リセット入力端子４ｃを通じてＰＩＣ１４にリセット信号が入力されると、上述したように、警報指令信号の出力が止められるようになっている。
【００４１】
ＰＩＣ１４の１７番ＰＩＮは、フォトカプラ１７を介して警報出力端子４ｂに接続されている。このＰＩＮからは、ＰＩＣ１４のデータ処理に基づく不正行為の検出処理が実行された後、不正行為が検出された場合に、不正行為があったことをパチンコホール内の店員に報告すべく、警報出力端子４ｂに警報指令信号を出力する。具体的には、フォトカプラ１７の１番ＰＩＮを５Ｖ電源に接続し、２番ＰＩＮをＰＩＣ１４に接続してある。そして、フォトカプラ１３ａの３番ＰＩＮおよび４番ＰＩＮが警報出力端子４ｂに接続してある。このような構成では、ＰＩＣ１４の１７番ＰＩＮから、不正行為が検出されていない通常時にはハイレベル（５Ｖ）が出力され、不正行為が検出された異常時にはローレベル（０Ｖ）が出力されるようになっている。このため、フォトカプラ１７のダイオードに通常時には電流が流れないため発光せず、３番ＰＩＮと４番ＰＩＮ間の接点が開いたままの状態となり、異常時には電流が流れて発光し、３番ＰＩＮと４番ＰＩＮ間の接点が閉じる。
【００４２】
したがって、ＰＩＣ１４の１７番ＰＩＮの出力に基づいて警報出力端子４ｂの２本の端子間の導通遮断状態を制御することができ、ナンバーランプ５への通電状態を制御することが可能になっている。これにより、異常時にフォトカプラ１７の３番ＰＩＮと４番ＰＩＮ間の接点が閉じることで、ナンバーランプ５への通電が行われるように制御することができ、ナンバーランプ５にて、不正行為があったスロット遊技台１を表示するようになっている。
【００４３】
なお、ＰＩＣ１４の１番ＰＩＮにはＬＥＤ１８が接続されており、ＰＩＶ１４にて、信号処理後の電流センサ３からの検出信号に基づいて通過センサ２が反応したことが確認されると、１番ＰＩＮから所定電圧が出力され、ＬＥＤ１８を発光させるようになっている。
【００４４】
レギュレータ回路１５は、電源入力端子４ｆから入力される例えば１２Ｖの直流電源を三端子レギュレータ１５ａによって例えば５Ｖの直流電源に変換するものである。このレギュレータ回路１５によって形成される５Ｖの直流電源を用いて、クレジット監視基板４内の各部への電力供給が行われるようになっている。
【００４５】
具体的には、１２Ｖの電源入力端子４ｆの＋端子を三端子レギュレータ１５ａの１番ＰＩＮに接続し、３番ＰＩＮと電源入力端子４ｆの−端子をＧＮＤに接続する。これにより、三端子レギュレータ１５ａによって５Ｖに電圧が変換され、三端子レギュレータ１５ａの２番端子から変換された電圧が出力される。
【００４６】
このレギュレータ回路１５には、ＬＥＤ１９が接続されており、三端子レギュレータ１５ａの２番端子から５Ｖが出力されているときには、ＬＥＤ１９が発光するようになっている。
【００４７】
以上のようにしてクレジット監視システムが構成されている。このように構成されるクレジット監視システムの作動について説明する。
【００４８】
上記構成のクレジット監視システムは、各スロット遊技台１が使用されるときに駆動される。具体的には、クレジット監視基板４に電流センサ３からの検出信号が入力されると、この検出信号がローパスフィルタ回路１０、増幅回路１１、コンパレータ回路１２、レンジ変換回路１３を通じて信号処理された後、ＰＩＣ１４に入力される。このとき、各回路１１〜１３およびＰＩＣ１４は、レギュレータ回路１５によって形成される直流電源からの電力供給に基づいて駆動される。
【００４９】
一方、ＰＩＣ１４には、各スロット遊技台１の６Ｐ情報出力１ｂから６Ｐ情報入力端子４ｄを通じて、各スロット遊技台１のＩＮ信号およびＯＵＴ信号が入力される。
【００５０】
そして、ＰＩＣ１４にて、信号処理後の電流センサ３からの検出信号およびスロット遊技台１のＩＮ信号およびＯＵＴ信号に基づいて、不正行為の検出が行われる。
【００５１】
図３は、ＰＩＣ１４によって実行される不正行為検出処理のフローチャートを示したものであり、この図に基づいて不正行為の検出方法について説明する。なお、この不正行為検出処理は、クレジット監視基板４に電力供給が成されると、常に実行される。
【００５２】
まず、ステップ１００では、通過センサ２の反応時間が測定される。ここでいう反応時間は、通過センサ２がコインの通過を示す信号をどの程度の時間出力しているかということを示しており、通過センサ２の出力に応じて出力される電流センサ３の信号処理後の検出信号から求められ、その検出信号のパルス幅を測定することにより求められる。
【００５３】
ここで、図４に、不正行為が行われていない場合における正常なときの電流センサ３の出力を信号処理した後の波形および不正行為が行われている場合における異常なときの電流センサ３の出力を信号処理した後の波形を示す。また、この図中に、それぞれの場合の通過センサ２および電流センサ３の出力波形と、電流センサ３の出力波形を増幅回路１１で増幅したときの波形およびコンパレータ回路１２で比較される参照電圧Ｖｒｅｆも示しておく。
【００５４】
コイン投入口からコインが投入された場合、コインの通過がどんなに速くても所定の速度以上にはならないことから、図４（ａ）に示されるように、通過センサ２のパルス信号は１枚１枚のコイン投入が確認できるような正常な出力波形となる。これと同様に、電流センサ３の出力波形も、通過センサ２のパルス信号が発生させられるたびに出力が発生させられるような形状となる。
【００５５】
このため、電流センサ３の出力が緩やかに低下したとしても、通過センサ２が次のパルス信号を発生させるまでの間に十分に低下することになる。したがって、電流センサ３の信号が増幅回路１１で増幅されたとしても、通過センサ２でパルス信号が出力されたとき以外は小さく、参照電圧Ｖｒｅｆを超えないため、コンパレータ回路１２の出力は通過センサ２の出力波形と同様の波形となる。この場合には、パルス幅がある程度の値（例えば１０〜３０ｍｓ）で決まり、所定時間を超えない。
【００５６】
これに対し、不正行為が行われた場合、赤外線照射の回数が１秒間に３０回程度と非常に点滅周期が速いため、図４（ｂ）に示されるように、通過センサ２のパルス信号が互いに近接したものとなり、電流センサ３の出力波形が１回１回の赤外線照射ごとでつながる。つまり、電流センサ３の出力が十分に低下するよりも前に通過センサ２が次のパルス信号を出力するため、電流センサ３の出力があまり低下しない。このため、電流センサ３の信号が増幅回路１１で増幅されると、通過センサ２の反応時間中参照電圧Ｖｒｅｆを超えることになり、コンパレータ回路１２の出力は、上記所定時間を超えるパルス幅（例えば１００ｍｓ）を有する異常波形となる。
【００５７】
したがって、ステップ１１０では、パルス幅が正常な出力波形のときのパルス幅から異常な出力波形のパルス幅の間となる所定の設定時間（例えば７０ｍｓ）をしきい値として、ステップ１００で求められた通過センサ２の反応時間が、そのしきい値を超えているか否かが判定される。このときの設定時間は、ＤＩＰＳＷ８の２番ＳＷの切替状態によって決まっている。このステップで否定判定された場合には、不正行為が行われていないものとして、ステップ１００に戻る。そして、肯定判定された場合には、不正行為が行われている可能性があるものとして、ステップ１２０に進む。
【００５８】
このとき、通過センサ２の反応時間が所定時間を超えていることから、すぐに不正行為が行われている旨の信号を出力しても構わない。しかしながら、コイン投入口の近傍にはソレノイドが備えられており、そのソレノイドが駆動されたときの信号（電流）を電流センサ３が拾ってしまう場合がある。このため、ソレノイドが作動するような条件のときには、しきい値を上記設定時間の２倍に設定することで、ソレノイドの作動による影響を無くすようにしている。
【００５９】
具体的には、ソレノイドは、最後にコインを投入した後、１秒以上間隔が空いたときの最後の１回のとき、および、ＩＮ信号が上がったときの最初の１回に作動する。したがって、ステップ１２０にて、１秒以内に次の通過信号が来たか否かが判定されるようになっていると共に、その後のステップ１３０にて、ＩＮ信号が入っていたか否かが判定されるようになっている。
【００６０】
そして、これら各ステップのいずれか一方でも否定判定されれば、ステップ１４０に進み、反応時間が上記設定時間の倍の時間を超えているか否かが判定される。そして、ステップ１４０でも肯定判定された場合には、ソレノイドが影響しているか否かに関わらず、不正行為によって電流センサ３の検出信号のパルス幅が長くなっているものとして、ステップ１５０に進んで警報を行うための警報指令信号が出力される。逆に、ステップ１４０で否定判定された場合には、電流センサ３の検出信号のパルス幅が長く、通過センサ２の反応時間が長くなっていたことが検出されたとしても、ソレノイドの影響によるものであるとしてステップ１００に戻る。
【００６１】
また、上記ステップ１２０、１３０のいずれでも肯定判定された場合には、ソレノイドによる影響を受けるタイミングではないため、上述のように反応時間が設定時間を超えていれば、それは不正行為によるものであるとして、ステップ１５０にステップ１５０に進んで警報を行うための警報指令信号が出力される。
【００６２】
このような警報を行うための指令信号が出力されると、この出力がＰＩＣ１４の１７番ＰＩＮを通じて出力される。これにより、フォトカプラ１７にて警報出力端子４ｂの２本の端子間が導通状態となって、ナンバーランプ５へ通電が行われ、ナンバーランプ５にて、不正行為があったスロット遊技台１が表示される。したがって、ナンバーランプ５にてパチンコホールの店員が不正行為を発見することができ、不正行為を取り押さえることが可能となって、パチンコホールの損害を未然に防止することが可能となる。
【００６３】
以上説明した本実施形態のクレジット監視システムによれば、通過センサ２の信号ラインに電流センサ３をかませ、この電流センサ３の出力に基づいて通過センサ２の反応時間を検出する。そして、通過センサ２の反応時間、つまり電流センサ３の信号処理後のデジタル信号のパルス幅が所定のしきい値よりも超えている場合に、通過センサ２の出力の異常を検出するようにしている。
【００６４】
これにより、不正行為を検出することが可能となる。また、電流センサ３を通過センサ２の信号ラインにかませるという構成、つまりスロット遊技台１に対して電流センサ３を直接取り付ける形態ではないため、スロット遊技台１自体に何かを直接取り付けるような法律上規制されている行為を行わないで不正行為を発見することが可能となる。
【００６５】
（他の実施形態）
上記実施形態では、赤外線をコインで反射させることによってクレジットアップを行うカウント方式のものについて説明している。しかしながら、スロット遊技台１におけるクレジットのカウント方式として、赤外線の発光部からの光をコの字形状の反射部材によって受光部に導き、コイン通過時に赤外線が遮断されることを利用してクレジットのカウントアップを行うものについても、上記と同様に、本発明を適用することが可能である。
【００６６】
なお、各図中に示したステップは、各種処理を実行する手段に対応するものである。
【図面の簡単な説明】
【００６７】
【図１】本発明の第１実施形態におけるクレジット監視システムの概略構成を示す図である。
【図２−ａ】クレジット監視基板４内の回路構成の一部を示した図である。
【図２−ｂ】クレジット監視基板４内の回路構成の一部を示した図である。
【図３】ＰＩＣが実行する不正行為検出処理のフローチャートである。
【図４】（ａ）は、正常な出力波形を示した波形図、（ｂ）は、異常な出力波形を示した波形図である。
【符号の説明】
【００６８】
１…スロット遊技台、２…通過センサ、３…電流センサ、４…クレジット監視基板、４ａ…センサ信号入力端子、４ｂａ…警報出力端子、４ｃ…リセット入力端子、４ｄ…６Ｐ情報入力端子、４ｅ…６Ｐ情報出力端子、４ｆ…電源入力端子、４ｇ…ＤＩＰ入力端子、５…ナンバーランプ、６…ホールコンピュータ、７…リセットスイッチ、８…ＤＩＰＳＷ。
【図１】
2005312929.tif 000003
【図２−ａ】
2005312929.tif 000004
【図２−ｂ】
2005312929.tif 000005
【図３】
2005312929.tif 000006
【図４】
2005312929.tif 000007